(57)【要約】【課題】複数の入出用ゲート装置が設置されていても、認証処理時間の短縮化を図り、利用者の面倒を軽減できる認証用ＩＣカード及び入場認証処理システムを提供する。【解決手段】ＩＣカードは、その利用者が、認証を受けた時に用いた認証方式の種類を特定することができる認証方式情報を書き込む認証方式情報記憶エリアを有し、入出用ゲート装置は、所定の認証方式により認証を行う認証処理手段と、前記認証された場合に、該認証方式の種類を特定することができる認証方式情報を、ＩＣカードの認証方式情報記憶エリアに書き込む手段と、認証処理を行う際に、ＩＣカードの認証方式情報記憶エリアに記憶されている認証方式情報を読み取る手段と、前記読み取った認証方式情報で特定される認証方式が、その認証処理装置で用いられる認証方式と同じ場合には認証処理を行わないで、入場又は出場を可能な状態に制御する手段とを有している。【選択図】図１
2008027432.tif 000002
【特許請求の範囲】
【請求項１】
所定の場所に入る際の認証処理用として使用されるＩＣカードであって、
前記ＩＣカードの記憶手段に、該ＩＣカードを用いて認証を受けた際に、使用された認証方式の種類を特定することができる認証方式情報を書き込むための認証方式情報記憶エリアが設けられていることを特徴とする認証用ＩＣカード。
【請求項２】
前記ＩＣカードは、前記認証方式情報記憶エリアに利用者の識別番号、一つ以上の認証方式情報等を有することを特徴とする請求項１記載の認証用ＩＣカード。
【請求項３】
認証を受ける利用者が所持するＩＣカードと、認証処理により入場が管理された場所内に設けられた複数の入出用ゲート装置と、からなる入出認証処理システムであって、
前記ＩＣカードは、該ＩＣカードの利用者が、認証を受けた時に用いた認証方式の種類を特定することができる認証方式情報を書き込む認証方式情報記憶エリアを有し、
前記入出用ゲート装置は、
所定の認証方式により認証を行う認証処理手段と、
前記認証処理手段で認証された場合に、該認証方式の種類を特定することができる認証方式情報を、前記認証用ＩＣカードの認証方式情報記憶エリアに書き込む手段と、
前記認証処理手段で認証処理を行う際に、前記認証用ＩＣカードの認証方式情報記憶エリアに記憶されている認証方式情報を読み取る手段と、
前記読み取った認証方式情報で特定される認証方式が、その認証処理装置で用いられる認証方式と同じ場合には、認証処理を行わないで入場を可能な状態に制御する手段と、
を有していることを特徴とする入場認証処理システム。
【請求項４】
前記ＩＣカードは、前記認証方式情報記憶エリアに利用者の識別番号、名前、一つ以上の認証方式情報等を有することを特徴とする請求項３記載の入場認証処理システム。
【請求項５】
前記入出用ゲート装置は、前記認証処理手段で認証処理を行う際に、前記読み取った認証方式情報で特定されるいずれかの認証方式が、その認証処理装置で用いられる認証方式と一致する場合には、一致した認証処理を行わないで入場を可能な状態に制御する手段を有していることを特徴とする請求項３から４のいずれかに記載の入場認証処理システム。
【請求項６】
前記入出用ゲート装置は、前記ＩＣカードから読み取った前記認証方式情報で特定されるいずれかの認証方式が、認証処理装置で用いられる認証方式と同じ場合には、認証処理を行わないで入場を可能な状態に制御した後、前記認証方式情報を初期化することを特徴とする請求項３から５のいずれかに記載の入場認証処理システム。
【請求項７】
前記入出用ゲート装置に接続されたサーバを更に有することを特徴とする請求項３から６のいずれかに記載の入場認証処理システム。
【請求項８】
前記サーバは、前記ＩＣカードの前記認証方式情報記憶エリアに保持される識別番号が有効かどうかを判定する手段を有することを特徴とする請求項７記載の入場認証処理システム。
【請求項９】
認証を受ける利用者が所持するＩＣカードの認証処理により入場が管理された場所内に設けられた複数の入出用ゲート装置であって、
所定の認証方式により認証を行う認証処理手段と、
前記認証処理手段で認証された場合に、該認証方式の種類を特定することができる認証方式情報を、前記認証用ＩＣカードの認証方式情報記憶エリアに書き込む手段と、
前記認証処理手段で認証処理を行う際に、前記認証用ＩＣカードの認証方式情報記憶エリアに記憶されている認証方式情報を読み取る手段と、
前記読み取った認証方式情報で特定される認証方式が、その認証処理装置で用いられる認証方式と同じ場合には、認証処理を行わないで入場を可能な状態に制御する手段と、
を有していることを特徴とする入出用ゲート装置。
【請求項１０】
前記入出用ゲート装置は、前記認証処理手段で認証処理を行う際に、前記読み取った認証方式情報で特定されるいずれかの認証方式が、その認証処理装置で用いられる認証方式と一致する場合には、一致した認証処理を行わないで入場を可能な状態に制御する手段を有していることを特徴とする請求項９記載の入出用ゲート装置。
【請求項１１】
前記入出用ゲート装置は、前記ＩＣカードから読み取った前記認証方式情報で特定されるいずれかの認証方式が、認証処理装置で用いられる認証方式と同じ場合には、認証処理を行わないで入場を可能な状態に制御した後、前記認証方式情報を初期化することを特徴とする請求項９から１０のいずれかに記載の入出用ゲート装置。
【発明の詳細な説明】
【技術分野】
【０００１】
本発明は、所定の場所に入る際の認証処理用として使用される認証用ＩＣカードと、複数の場所に連続して入場する場合に、前回入場した場所の入口で認証が受けられた認証方式と、次の場所での認証方式とが同じ場合には、認証処理を省略できるようにした入場認証処理システムに関する。
【背景技術】
【０００２】
従来、入場が管理されている場所への入場管理方法として、入場時に暗証番号や生体情報などに基づく照合処理することで、入場する正当な権限を有する者であるか否かの判定を行う種々の認証方式が知られている。
これらの認証方式としては、例えば、暗証番号による認証方式や、指紋、虹彩、血管パターン、網膜、などの生体情報による認証方式を用いた方式などがある。（例えば、特許文献１参照）
生体情報による認証方式は、暗証番号による認証方式と比べて本人認証の信用性が高くなるので、入場する権限のない者が不正に入場することを高いセキュリティレベルで阻止できるものの、装置や設備などにコストがかかるという問題がある。
【０００３】
【特許文献１】特開２００３−２９６７７０号公報
【０００４】
したがって、例えば、建物内に入る際には、暗証番号による認証方式を用いて、更に、建物内に備えられた各部屋の入口には、その部屋毎の重要度に応じて種々の認証方式を備えるようにすることもできる。
つまり、ある建物内にある部屋のうち、内部に秘密性の高い書類や製品などが置かれている場合には、生体情報による認証方式の中でも、より高い精度を有する本人認証方式を採用して、社内でも特定の人物だけが入れるようにしたりすることができる。
例えば、複数の部屋がある場合に、各部屋の重要度に応じた認証方式を各部屋の入口に設けることで、セキュリティレベルに対応させた入場管理が可能になっている。
【０００５】
しかしながら、生体情報による認証方式は、認証処理に時間がかかったり、利用者が所定の位置に指や手を置いたり、顔を当てたりなどしなければならず面倒であるという問題がある。
特に、上記したような、部屋の重要度に応じた認証方式を各部屋の入口に設けてセキュリティ管理を行う場合には、各部屋に入ろうとする度に面倒な処理を行なう必要があるという問題がある。
【発明の開示】
【発明が解決しようとする課題】
【０００６】
そこで、本発明は、各々の場所に複数の入出用ゲート装置が設置され、利用者がそれらの異なる入出用ゲート装置を連続して入場する場合に、前回の入出用ゲート装置での認証処理で認証された認証方式が、今回の入出用ゲート装置の認証処理で用いられる認証方式と同じ方式の場合には、その認証処理を省略して認証を受けられるようにして、認証処理時間の短縮化を図り、利用者が所定の位置に指や手を置いたり、顔を当てたりなどする面倒を軽減できるようにした認証用ＩＣカード及び入場認証処理システムを提供する。
【課題を解決するための手段】
【０００７】
前述した目的を達成するために第１の発明は、所定の場所に入る際の認証処理用として使用されるＩＣカードであって、前記ＩＣカードの記憶手段に、該ＩＣカードを用いて認証を受けた際に、使用された認証方式の種類を特定することができる認証方式情報を書き込むための認証方式情報記憶エリアが設けられていることを特徴とする認証用ＩＣカードである。
【０００８】
前記ＩＣカードは、前記認証方式情報記憶エリアに利用者の識別番号、一つ以上の認証方式情報等を有する。
【０００９】
第２の発明は、認証を受ける利用者が所持するＩＣカードと、認証処理により入場が管理された場所内に設けられた複数の入出用ゲート装置と、からなる入出認証処理システムであって、前記ＩＣカードは、該ＩＣカードの利用者が、認証を受けた時に用いた認証方式の種類を特定することができる認証方式情報を書き込む認証方式情報記憶エリアを有し、前記入出用ゲート装置は、所定の認証方式により認証を行う認証処理手段と、前記認証処理手段で認証された場合に、該認証方式の種類を特定することができる認証方式情報を、前記認証用ＩＣカードの認証方式情報記憶エリアに書き込む手段と、前記認証処理手段で認証処理を行う際に、前記認証用ＩＣカードの認証方式情報記憶エリアに記憶されている認証方式情報を読み取る手段と、前記読み取った認証方式情報で特定される認証方式が、その認証処理装置で用いられる認証方式と同じ場合には、認証処理を行わないで入場を可能な状態に制御する手段と、を有していることを特徴とする入場認証処理システムである。
【００１０】
前記入出用ゲート装置は、前記認証処理手段で認証処理を行う際に、前記読み取った認証方式情報で特定されるいずれかの認証方式が、その認証処理装置で用いられる認証方式と一致する場合には、一致した認証処理を行わないで入場を可能な状態に制御する手段を有する。
前記入出用ゲート装置は、前記ＩＣカードから読み取った前記認証方式情報で特定されるいずれかの認証方式が、認証処理装置で用いられる認証方式と同じ場合には、認証処理を行わないで入場を可能な状態に制御した後、前記認証方式情報を初期化するようにしてもよい。
入場認証処理システムの前記入出用ゲート装置には、前記ＩＣカードの前記認証方式情報記憶エリアに保持される識別番号が有効かどうかを判定する手段を有するサーバが接続される。
【００１１】
第３の発明は、認証を受ける利用者が所持するＩＣカードの認証処理により入場が管理された場所内に設けられた複数の入出用ゲート装置であって、所定の認証方式により認証を行う認証処理手段と、前記認証処理手段で認証された場合に、該認証方式の種類を特定することができる認証方式情報を、前記認証用ＩＣカードの認証方式情報記憶エリアに書き込む手段と、前記認証処理手段で認証処理を行う際に、前記認証用ＩＣカードの認証方式情報記憶エリアに記憶されている認証方式情報を読み取る手段と、前記読み取った認証方式情報で特定される認証方式が、その認証処理装置で用いられる認証方式と同じ場合には、認証処理を行わないで入場を可能な状態に制御する手段と、を有していることを特徴とする入出用ゲート装置である。
【発明の効果】
【００１２】
本発明の認証用ＩＣカードは、ＩＣカードの記憶手段に、該ＩＣカードを用いて認証を受けた際に、使用された認証方式の種類を特定することができる認証方式情報を書き込むための認証方式情報記憶エリアが設けられているので、連続して異なる入出用ゲート装置から入場する場合に、前回の認証処理で認証された認証方式の種類を特定することができる認証方式情報を書き込むことができるので、次の認証処理の際に前回の認証処理で用いた認証方式の確認を行うことができるという効果がある。
【００１３】
また、本発明の入場認証処理システムは、入出用ゲート装置が、認証処理手段で認証処理を行う際に、認証用ＩＣカードの認証方式情報記憶エリアに記憶されている認証方式情報を読み取り、その読み取った認証方式情報で特定される認証方式が同じ場合には、認証処理を行わないで入場を可能な状態に制御する手段と、を有しているので、複数の入出用ゲート装置が設置されていても、連続して異なる入出用ゲート装置から入場する場合に、前回の認証処理で認証された認証方式が、今回の認証処理で用いられる認証方式と同じ方式の場合には、その認証処理を省略して認証を受けられるようにして、認証処理時間の短縮化を図ることができ、利用者が所定の位置に指や手を置いたり、顔を当てたりなどする面倒を軽減できるという効果がある。
【発明を実施するための最良の形態】
【００１４】
以下、本発明の第１の実施形態に係る認証用ＩＣカード及び入場認証処理システムを図面に基づいて詳細に説明する。
図１は、本発明の実施形態に係る入場認証処理システムの概要を説明する図、図２は、本発明の実施形態に係る入場認証処理システムに使用する非接触ＩＣカードの平面図、図３は、本発明の実施形態に係る入場認証処理システムに使用する入出用ゲート装置を示す斜視図、図４は、本発明の実施形態に係る入場認証処理システムのシステムブロック図、図５は、本発明で利用される認証方式と認証方式番号との関係を示す図、図６は、本発明の第１の実施形態に係る入場認証処理システムの処理手順を示すフローチャート図である。
【００１５】
まず、本発明の第１の実施形態に係る入場認証処理システムの概要を図１に基づいて説明する。
尚、本発明における認証処理により入場が管理された場所とは、例えば、建物、部屋、ビル、施設、特定場所、特定エリア、特定領域、特定地域、などが含まれるが、この実施形態の説明においては、一例として１つの建物１の所定階に複数の部屋として、Ａ室１ａ、Ｂ室１ｂ、Ｃ室１ｃの３つの部屋が設けられている場合について説明する。
そして、各部屋の入出口には、それぞれ入出用ゲート装置２が備えられている。
図１に示すように、Ａ室１ａの入出口であるＡゲートには、入出用ゲート装置２ａが設置され、Ｂ室１ｂの入出口であるＢゲートには、入出用ゲート装置２ｂが設置され、Ｃ室１ｃの入出口であるＣゲートには、入出用ゲート装置２ｃが設置されている。
【００１６】
これらの入出用ゲート装置２は、建物１の利用者がゲートを通過しようとする際に、所定の認証方式による認証を受けることを条件に、ゲートの通過を可能にする機能を有している。
これらの認証時には、予め利用者に配布された記憶媒体である非接触ＩＣカード３が使用され、認証方式としては、暗証番号による認証方式や、指紋、虹彩、血管パターン、網膜、などの生体情報による認証方式などが用いられる。
Ａ室１ａ、Ｂ室１ｂ、Ｃ室１ｃの３部屋のセキュリティレベルに応じて、複数種類の認証方式の中から任意に、どのゲートにどの認証方式を用いるかを自由に設定することができる。
【００１７】
部屋の利用者４が所持する非接触ＩＣカード３は、図２に示すように、ＩＣモジュール５と、そのＩＣモジュール５に接続されたアンテナコイルからなる送受信手段６とが内蔵された構造を有しており、非接触方式により入出用ゲート装置２との間で情報の送受信が可能になっている。
また、非接触ＩＣカード３は、図４に示すように、送受信手段６、記憶手段７、制御手段８を有し、記憶手段７には、認証方式情報記憶エリア７ａと照合用情報記憶エリア７ｂが設けられている。
【００１８】
認証方式情報記憶エリア７ａは、利用者４が入出用ゲート装置２を通過する際に、認証処理に用いられた認証方式を特定可能な認証方式番号を含む認証方式情報を、入出用ゲート装置２から非接触ＩＣカード３に送信して書き込むための記憶エリアである。
この認証方式情報記憶エリア７ａに記憶された情報は、新たな情報が書き込まれた際に更新されて、常に新しい認証方式情報だけが登録される。
また、照合用情報記憶エリア７ｂには、本人認証を行う際に使用される照合用情報が予め記憶されている。
この照合用情報としては、例えば照合用の共通鍵、暗証番号、指紋情報、虹彩パターンなどの認証方式に応じた情報が用いられる。
【００１９】
入出用ゲート装置２の記憶手段には、図５に示すように、予め認証方式９と、その認証方式を特定するための認証方式番号１０とが関係付けられて登録されている。
したがって、利用者４が入出用ゲート装置２を通過する際に、認証方式番号を含む認証方式情報を非接触ＩＣカード３の認証方式情報記憶エリア７ａに書き込むことで、利用者４が次に通過する入出用ゲート装置２において、非接触ＩＣカード３から認証方式番号を含む認証方式情報を読み取った場合に、その利用者が前回にどの認証方式による認証を受けたのかがわかるようにしてある。
【００２０】
また、入出用ゲート装置２は、図３及び図４に示すように、送受信手段１１、照合処理手段１２、認証方式情報書込手段１３、認証方式情報読取手段１４、入出制限切替制御手段１５、認証方式情報照合手段１６、記憶手段１７、生体情報読取手段１８、入力手段１９、制御手段２０などが備えられている。
照合処理手段１２は、非接触ＩＣカード３の照合用情報記憶エリア７ｂに登録されている照合用情報と、利用者が入力した暗証番号や利用者の身体から読み取った生体情報などの照合用情報とを照合する機能を有している。
【００２１】
また、記憶手段１７には、入出用ゲート装置２の認証方式の種類と、各認証方式を特定するための認証方式番号とが関係付けられた情報が登録されている。
そして、認証方式情報書込手段１３は、その入出用ゲート装置２の認証処理で認証が行われた際に、その使用された認証方式の認証方式番号情報を、入出用ゲート装置２から非接触ＩＣカード３に送信する機能を有し、送信された認証方式番号情報は非接触ＩＣカード３の認証方式情報記憶エリア７ａに書き込まれる。
利用者が連続して複数の入出用ゲート装置２を通過することで、各入出用ゲート装置２で順次に認証を受けた場合には、非接触ＩＣカード３の認証方式情報記憶エリア７ａには、前回の認証時の認証方式番号情報だけが登録されているように更新登録される。
【００２２】
また、認証方式情報読取手段１４は、入出用ゲート装置２を通過しようとする利用者が所持する非接触ＩＣカード３から、非接触ＩＣカード３の認証方式情報記憶エリア７ａに書き込まれている認証方式番号情報の読み取りを行う機能を有している。
また、認証方式情報照合手段１６は、その入出用ゲート装置２を通過しようとする利用者に対して認証処理を行う認証方式番号情報と、非接触ＩＣカード３から読み取った認証方式番号情報とを照合する機能を有している。
認証方式情報照合手段１６による認証方式番号情報の照合が一致した場合には、その入出用ゲート装置２を通過しようとする利用者が、その入出用ゲート装置２に来る前に通過した入出用ゲート装置２において、既に同じ認証方式で認証が受けられていることから、通常行う認証処理を省略して通過可能にする。
【００２３】
また、入出制限切替制御手段１５は、利用者が入出用ゲート装置２の通過しようとする際に、通過可能な状態と通過できない状態に切り替えるように制御する機能を有している。
入出用ゲート装置２には、開閉板２１が備えられ、入出制限切替制御手段１５からの指示信号に基づいて、閉じたり、開いたりして通行の管理ができるようにしてある。
入出制限切替制御手段１５は、認証方式情報照合手段１６での認証方式情報の照合一致や、照合処理手段１２での照合用情報の照合一致が受けられた場合に、開閉板２１に対して開閉板２１を開いて利用者の通行が可能な状態にさせる指示信号の送信を行なう。
これにより、利用者が入出用ゲート装置２のゲートを通過できるようにしてある。
【００２４】
また、認証方式情報照合手段１６による認証方式番号情報の照合が不一致の場合には、その入出用ゲート装置２を通過しようとする利用者に通常行う認証処理をしてもらい、照合処理手段１２での照合用情報の照合一致が受けられた場合に、開閉板２１に対して開閉板２１を開いて利用者の通行が可能な状態にさせる指示信号の送信を行なう。
【００２５】
次に、本発明の第１の実施形態に係る入場認証処理システムの処理手順を、図５のフローチャート図に基づいて説明する。
ゲートから入る際に、入出用ゲート装置２で非接触ＩＣカード３の記憶手段における認証方式情報記憶エリアの登録情報７ａを読み取る（ステップＳ１）。
次に、入出用ゲート装置２の登録情報と読み取られた照合方式番号とを照合する（ステップＳ２）。
この照合で一致した場合には、設定された認証処理を省略し、開閉板２１を開いてゲートを通過することができる状態にする（ステップＳ３）。
【００２６】
また、この照合で不一致の場合には、入出用ゲート装置２に設定された認証方式の認証処理を受ける必要があり、認証に必要な照合用情報を入力させるように利用者に要求する（ステップＳ４）。
そして、設定された認証方式の認証処理を行う（ステップＳ５）。
この認証方式の認証処理で認証された場合には、入出用ゲート装置２から非接触ＩＣカード３に対して、認証が受けられた認証方式番号である認証方式情報として送信される（ステップＳ６）。
【００２７】
入出用ゲート装置２から認証方式番号である認証方式情報を受信した非接触ＩＣカード３は、非接触ＩＣカード３の認証方式情報記憶エリア７ａに認証方式番号を含む認証方式情報を登録させる（ステップＳ７）。
そして、入出用ゲート装置２の開閉板２１が開いて、利用者４がゲートを通過できる状態にする（ステップＳ８）。
【００２８】
以上の処理により、利用者４は、前回に認証が受けられた認証方式を省略できようにしてあり、複数の入出用ゲート装置が設置されていても、認証処理時間の短縮化や、利用者が所定の位置に指や手を置いたり、顔を当てたりなどする面倒を軽減できるようにしてある。
【００２９】
次に、本発明の第１の実施形態に係る入場認証処理システムの実施例として、図１に基づいて、利用者４が矢印に示す順番に行動した際の具体的な処理手順について説明する。
まず、各ゲートに備えられている入出用ゲート装置２毎で処理する認証方式を設定する。
Ａゲートの入出用ゲート装置２ａでは、認証方式として共通鍵による認証が行われ、Ｂゲートの入出用ゲート装置２ｂでは、認証方式として指紋認証が行われ、Ｃゲートの入出用ゲート装置２ｃでは、認証方式として暗証番号による認証と、更に指紋認証とが行われるものとする。
つまり、入出用ゲート装置２ａの記憶手段１７には、照合方式番号として「１」が登録され、入出用ゲート装置２ｂの記憶手段１７には、照合方式番号として「３」が登録され、入出用ゲート装置２ｃの記憶手段１７には、照合方式番号として「２」と「３」が登録されている。
【００３０】
また、利用者４が所持する非接触ＩＣカード３の認証方式情報記憶エリア７ａには、初期状態となっていて「０」が登録されているものとする。
上記の設定は、一例であって任意に設定することができる。
また、この処理手順の説明では、利用者４が、各室に備えられたゲートＡ、ゲートＢ、ゲートＣ、を順番に通過して、最後にゲートＡから外部に出るまでの処理について説明する。
【００３１】
まず、利用者４が、Ａゲートから入る際に、入出用ゲート装置２ａに非接触ＩＣカード３を近づけることで、非接触ＩＣカード３の記憶手段７における認証方式情報記憶エリア７ａの登録情報として、「０」が読み取られる。
入出用ゲート装置２ａの記憶手段１７に登録されている照合方式番号と、読み取られた照合方式番号との照合が行われる。
尚、上記条件の場合には、入出用ゲート装置２ａの記憶手段１７に登録されている照合方式番号が「１」で、また非接触ＩＣカード３から読み取られた照合方式番号が「０」であるので、照合不一致となり、認証処理の省略処理を行わないで、共通鍵を用いた認証処理が行われる。
また、この照合処理で照合一致となった場合には、認証処理の省略処理を行うことで、開閉板２１を開いて利用者４がゲートを通過することができる状態にする（ステップＳ６）。
【００３２】
そして、共通鍵を用いた認証処理で認証された場合には、入出用ゲート装置２ａから非接触ＩＣカード３に対して、認証が受けられた認証方式番号である「１」が認証方式情報として送信される。
非接触ＩＣカード３は、受信した認証方式番号「１」を含む認証方式情報を、記憶手段７の認証方式情報記憶エリア７ａに更新させる。
また、上記の処理と略同時に、入出用ゲート装置２ａの開閉板２１が開いて、利用者４がゲートを通過できる状態にする。
尚、共通鍵を用いた認証処理で認証されない場合には、そのままの状態で利用者４がゲートを通過することができない状態のまま処理が終了される。
【００３３】
Ａ室に入った利用者４が、更に、ＢゲートからＢ室に入る際に、入出用ゲート装置２ｂａに非接触ＩＣカード３を近づけることで、非接触ＩＣカード３の記憶手段７における認証方式情報記憶エリア７ａの登録情報が読み取られる。
そして、入出用ゲート装置２ｂの記憶手段１７に登録されている照合方式番号と、読み取られた照合方式番号との照合が行われる。
尚、上記条件の場合には、入出用ゲート装置２ｂの記憶手段１７に登録されている照合方式番号が「３」で、また非接触ＩＣカード３から読み取られた照合方式番号が「１」であるので、照合不一致となり、認証処理の省略処理を行わないで、指紋を用いた認証処理が行われる。
また、この照合処理で照合一致となった場合には、認証処理の省略処理を行うことで、開閉板２１を開いて利用者４がゲートを通過することができる状態にする。
【００３４】
そして、指紋を用いた認証処理で認証された場合には、入出用ゲート装置２ｂから非接触ＩＣカード３に対して、認証が受けられた認証方式番号である「３」が認証方式情報として送信される。
非接触ＩＣカード３は、受信した認証方式番号「３」を含む認証方式情報を、記憶手段７の認証方式情報記憶エリア７ａに登録させる。
また、上記の処理と略同時に、入出用ゲート装置２ｂの開閉板２１が開いて、利用者４がゲートを通過できる状態にする。
また、この指紋を用いた認証処理で認証されない場合には、そのままの状態で利用者４がゲートを通過することができない状態のまま処理が終了される。
【００３５】
次に、Ｂ室に入った利用者４が、Ｂ室を出て、更に、ＣゲートからＣ室に入る際に、入出用ゲート装置２ｃに非接触ＩＣカード３を近づけることで、非接触ＩＣカード３の記憶手段７における認証方式情報記憶エリア７ａの登録情報が読み取られる。
そして、入出用ゲート装置２ｃの記憶手段１７に登録されている照合方式番号と、読み取られた照合方式番号との照合が行われる。
尚、上記条件の場合には、入出用ゲート装置２ｃの記憶手段１７に登録されている照合方式番号が「２」と「３」で、また非接触ＩＣカード３から読み取られた照合方式番号が「３」であるので、「３」が照合一致で、「２」が照合不一致となる。
【００３６】
上記の場合には、照合一致した認証方式番号「３」の指紋照合が前回の入出用ゲート装置２ｂで認証が受けられているので、今回の認証処理では省略され、照合不一致となった認証方式番号「２」の暗証番号により認証処理だけが行われる。
そして、暗証番号を用いた認証処理で認証された場合には、入出用ゲート装置２ｃから非接触ＩＣカード３に対して、認証が受けられた認証方式番号である「２」が認証方式情報として送信される。
非接触ＩＣカード３は、受信した認証方式番号「２」を含む認証方式情報を、記憶手段７の認証方式情報記憶エリア７ａに登録させる。
また、上記の処理と略同時に、入出用ゲート装置２ｃの開閉板２１が開いて、利用者４がゲートを通過できる状態にする。
また、この暗証番号を用いた認証処理で認証されない場合には、そのままの状態で利用者４がゲートを通過することができない状態のまま処理が終了される。
【００３７】
そして、利用者４が、Ｃ室を出て、更にＡ室から入出用ゲート装置２ａを通過して外部に出る場合には、入出用ゲート装置２ａから情報を消去させるための指示信号が送信されて、非接触ＩＣカード３の記憶手段７における認証方式情報記憶エリア７ａの登録情報を初期化させて、「０」を登録する。
これにより、利用者が外部に出た場合には、認証処理の省略が行えない状態に初期化させる。
【００３８】
以上の処理により、利用者４は、前回に認証が受けられた認証方式を省略できようにしてあり、複数の入出用ゲート装置が設置されていても、認証処理時間の短縮化や、利用者が所定の位置に指や手を置いたり、顔を当てたりなどする面倒を軽減できるようにしてある。
【００３９】
次に、本発明の第２の実施形態に係る認証用ＩＣカード及び入場認証処理システムを図面に基づいて詳細に説明する。
図７は、本発明の第２の実施形態に係る入場認証処理システムのシステムブロック図、図８は、第２の実施形態の非接触ＩＣカード３の記憶手段７の認証方式情報記憶エリア７ａの詳細を示す図、図９は、第２の実施形態の入出用ゲート装置２の記憶手段１７の詳細を示す図、図１０は、第２の実施形態に係る入場認証処理システムの処理手順を示すフローチャート図である。
【００４０】
まず、本発明の第２の実施形態に係る入場認証処理システムの概要は、図１に示す第１の実施形態に係る入場認証処理システムとほぼ同じであるが、入出用ゲート装置が認証処理手段で認証処理を行う際に、認証用ＩＣカードの認証方式情報記憶エリアに記憶されている認証方式情報を読み取り、その読み取った認証方式情報で特定される認証方式が同じ場合には、１回のみ、認証処理を行わないで入場を可能な状態に制御する。即ち、複数の入出用ゲート装置が設置されていて、連続して異なる入出用ゲート装置から入場する場合に、前回の認証処理で認証された認証方式が今回の認証処理で用いられる認証方式と同じ方式の場合には、その認証処理を省略して認証を受けられるようにするが、２回以上続けて認証処理を省略することは許可せず、再度、利用者に対して認証処理を要求することにより、セキュリティを強化する。
【００４１】
図７に示すように、非接触ＩＣカード３は、受信手段６、記憶手段７、制御手段８を有し、記憶手段７には、認証方式情報記憶エリア７ａと照合用情報記憶エリア７ｂが設けられている。
認証方式情報記憶エリア７ａは、図８に示すように利用者４の社員番号等の識別番号を表すＩＤ４１、利用者の名前４２、利用者４が入出用ゲート装置２を通過する際に、認証処理に用いられた認証方式を特定可能な認証方式番号を含む認証方式情報４３を有する。認証方式情報４３に記憶された情報は、新たな情報が書き込まれた際に更新されて、常に新しい認証方式情報だけが登録される。
照合用情報記憶エリア７ｂには、本人認証を行う際に使用される照合用の共通鍵、暗証番号、指紋情報、虹彩パターンなど、認証方式に応じた照合用情報が予め記憶されている。
【００４２】
入出用ゲート装置２は、図７に示すように、送受信手段１１、照合処理手段１２、認証方式情報書込手段１３、認証方式情報読取手段１４、入出制限切替制御手段１５、認証方式情報照合手段１６、記憶手段１７、生体情報読取手段１８、入力手段１９、制御手段２０、通信手段２２などが備えられている。
照合処理手段１２、認証方式情報書込手段１３、認証方式情報読取手段１４、入出制限切替制御手段１５、認証方式情報照合手段１６、生体情報読取手段１８、入力手段１９、制御手段２０は、第１の実施形態の入出用ゲート装置と同じ機能を有する。
記憶手段１７は、図９に示すように、入出用ゲート装置２の認証方式の種類と、各認証方式を特定するための認証方式番号とが関係付けられた情報が登録される認証方式情報１７ａを有する。
【００４３】
利用者が連続して複数の入出用ゲート装置２を通過することで、各入出用ゲート装置２で順次に認証を受けた場合には、非接触ＩＣカード３の認証方式情報記憶エリア７ａの認証方式情報４３には、前回の認証時の認証方式番号情報だけが登録されているように更新登録される。
入出用ゲート装置２の認証方式情報照合手段１６による非接触ＩＣカード３の認証方式情報４３と入出用ゲート装置２の認証方式情報１７ａの照合が一致した場合には、その入出用ゲート装置２を通過しようとする利用者が、その入出用ゲート装置２に来る前に通過した入出用ゲート装置２において、既に同じ認証方式で認証が受けられていることから、通常行う認証処理を省略して通過可能にする。それと略同時に、認証方式情報書込手段１３は、非接触ＩＣカード３の認証方式情報４３を「０」に初期化する。これにより、同じ認証方式の入出用ゲート装置２を３回通過しようとする場合、２回目は認証処理を省略して通過することができるが、そのとき、認証方式情報４３は「０」に初期化されているため、３回目は認証方式番号情報の照合が不一致となるため、再度認証処理を受けることが必要となる。
【００４４】
入出用ゲート装置２は、ネットワーク等を介してサーバ３０に接続している。通信手段２２は、サーバ３０との通信を制御する。
サーバ３０は、通信手段３１、入力手段３２、印刷手段３３、表示手段３４、記憶手段３５、メディア入出力手段３６、制御手段３７などが備えられている。
【００４５】
通信手段３１は、ネットワーク等を介した入出用サーバ２との通信を制御する。
入力手段３２は、キーボード、マウス等の入力装置である。印刷手段３３はプリンタで、ユーザからの要求により必要な情報等の印刷を行う。
表示部３４は、ＣＲＴ(Ｃａｔｈｏｄｅ−Ｒａｙ  Ｔｕｂｅ)あるいはＬＣＤ(Ｌｉｑｕｉｄ  Ｃｒｙｓｔａｌ  Ｄｉｓｐｌａｙ)等の表示装置である。
メディア入出力手段３６は、ＣＤ−ＲＯＭ(Ｃｏｍｐａｃｔ  Ｄｉｓｃ  Ｒｅａｄ  Ｏｎｌｙ  Ｍｅｍｏｒｙ)あるいはＣＤ−ＲＷ(ＣＤ−ＲｅＷｒｉｔａｂｌｅ)、フレキシブルディスク、ＭＯ(Ｍａｇｎｅｔｏ  Ｏｐｔｉｃ  Ｄｉｓｃ)等の媒体のドライブで、媒体からのデータの読み出し、媒体へのデータの書き込みを行う。
制御手段３７は、プログラムの実行を行うＣＰＵ(Ｃｅｎｔｒａｌ  Ｐｒｏｃｅｓｓｉｎｇ  Ｕｎｉｔ)と、プログラム命令あるいはデータ等を格納するためのＲＯＭ(Ｒｅａｄ  Ｏｎｌｙ  Ｍｅｍｏｒｙ)、ＲＡＭ(Ｒａｎｄｏｍ  Ａｃｃｅｓｓ  Ｍｅｍｏｒｙ)等のメモリから構成される。制御手段３７は、サーバ３０全体の動作を制御する。
【００４６】
記憶手段３５は、サーバ３０の動作に必要となるプログラム、データ等を保存しており、ＩＤ情報記憶エリア３５ａを有する。
ＩＤ情報記憶エリア３５ａは、入場認証処理システムの利用者４の社員番号のような識別番号、名前等を保持する。
【００４７】
次に、本発明の第２の実施形態に係る入場認証処理システムの処理手順を、図１０のフローチャート図に基づいて説明する。
ゲートから入る際に、入出用ゲート装置２で利用者４の非接触ＩＣカード３の記憶手段における認証方式情報記憶エリア７ａの登録録情報を読み取る（ステップＳ１１）。
入出用ゲート装置２は、読み取られた認証方式情報記憶エリア７ａのＩＤ４１と一致するＩＤ情報があるかどうか、サーバ３に問い合わせる（ステップＳ１２）。
サーバ３は、記憶手段３５のＩＤ情報記憶エリア３５ａに該当するＩＤ情報があるかどうか照合し、無い場合、利用者４がゲートを通過することができない状態のまま処理が終了される。
【００４８】
該当するＩＤ情報がある場合、入出用ゲート装置２の認証方式情報１７ａと非接触ＩＣカード３から読み取られた認証方式情報４３とを照合する（ステップＳ１３）。
この照合で一致した場合には、入出用ゲート装置２から非接触ＩＣカード３に対して認証方式情報４３の初期化を要求し、非接触ＩＣカード３は、認証方式情報４３を「０」に初期化する（ステップＳ１４）。入出用ゲート装置２は、設定された認証処理を省略し、開閉板２１を開いて利用者４がゲートを通過することができる状態にする。（ステップＳ１５）
【００４９】
入出用ゲート装置２の認証方式情報１７ａと非接触ＩＣカード３から読み取られた認証方式情報４３との照合で不一致の場合には、入出用ゲート装置２に設定された認証方式の認証処理を受ける必要があるため、認証に必要な照合用情報を入力させるように利用者４に要求する（ステップＳ１６）。
そして、設定された認証方式の認証処理を行う（ステップＳ１７）。
この認証方式の認証処理で認証された場合には、入出用ゲート装置２から非接触ＩＣカード３に対して、認証が受けられた認証方式番号である認証方式情報として送信される（ステップＳ１８）。
【００５０】
入出用ゲート装置２から認証方式番号である認証方式情報を受信した非接触ＩＣカード３は、非接触ＩＣカード３の認証方式情報記憶エリア７ａの認証方式情報４３に送信された認証方式情報を登録させる（ステップＳ１９）。
そして、入出用ゲート装置２の開閉板２１が開いて、利用者４がゲートを通過できる状態にする（ステップＳ２０）。
【００５１】
以上の処理により、利用者４は、２回続けて同じ認証方式の場合、前回に認証が受けられた認証方式を省略できるが、３回続けて同じ認証方式の場合は、再度認証を受けることが必要となるため、セキュリティが強化される。
【００５２】
次に、本発明の第２の実施形態に係る入場認証処理システムの実施例として、図１に基づいて、利用者４が矢印に示す順番に行動した際の具体的な処理手順について説明する。
まず、各ゲートに備えられている入出用ゲート装置２毎で処理する認証方式を設定する。
Ａゲートの入出用ゲート装置２ａでは、認証方式として共通鍵による認証が行われ、Ｂゲートの入出用ゲート装置２ｂでは、認証方式として共通鍵による認証が行われ、Ｃゲートの入出用ゲート装置２ｃでは、認証方式として共通鍵による認証と、更に指紋認証とが行われるものとする。
つまり、入出用ゲート装置２ａの記憶手段１７の認証方式情報１７ａには「１」が登録され、入出用ゲート装置２ｂの記憶手段１７の認証方式情報１７ａには「１」が登録され、入出用ゲート装置２ｃの記憶手段１７の認証方式情報１７ａには「１」と「３」が登録されている。
【００５３】
また、利用者４が所持する非接触ＩＣカード３の認証方式情報記憶エリア７ａの認証方式情報４３は、初期状態として「０」が登録されているものとする。
上記の設定は、一例であって任意に設定することができる。
また、この処理手順の説明では、利用者４が、各室に備えられたゲートＡ、ゲートＢ、ゲートＣ、を順番に通過して、最後にゲートＡから外部に出るまでの処理について説明する。
【００５４】
まず、利用者４が、Ａゲートから入る際に、入出用ゲート装置２ａに非接触ＩＣカード３を近づけることで、非接触ＩＣカード３の記憶手段７における認証方式情報記憶エリア７ａの認証方式情報４３として、「０」が読み取られる。
入出用ゲート装置２ａの記憶手段１７の認証方式情報１７ａと、読み取られた認証方式情報４３との照合が行われる。
尚、上記条件の場合には、入出用ゲート装置２ａの認証方式情報１７ａに登録されている照合方式番号が「１」で、また非接触ＩＣカード３の認証方式情報４３から読み取られた照合方式番号が「０」であるので、照合不一致となり、認証処理の省略処理を行わないで、共通鍵を用いた認証処理が行われる。
また、この照合処理で照合一致となった場合には、認証処理の省略処理を行うことで、開閉板２１を開いて利用者４がゲートを通過することができる状態にする。
【００５５】
そして、共通鍵を用いた認証処理で認証された場合には、入出用ゲート装置２ａから非接触ＩＣカード３に対して、認証が受けられた認証方式番号である「１」が認証方式情報として送信される。
非接触ＩＣカード３は、受信した認証方式番号「１」を含む認証方式情報を、記憶手段７の認証方式情報記憶エリア７ａの認証方式情報４３に更新させる。
また、上記の処理と略同時に、入出用ゲート装置２ａの開閉板２１が開いて、利用者４がゲートを通過できる状態にする。
尚、共通鍵を用いた認証処理で認証されない場合には、そのままの状態で利用者４がゲートを通過することができない状態のまま処理が終了される。
【００５６】
Ａ室に入った利用者４が、更に、ＢゲートからＢ室に入る際に、入出用ゲート装置２ｂに非接触ＩＣカード３を近づけることで、非接触ＩＣカード３の記憶手段７における認証方式情報記憶エリア７ａの認証方式情報４３が読み取られる。
そして、入出用ゲート装置２ｂの記憶手段１７の認証方式情報１７ａに登録されている照合方式番号と、読み取られた照合方式番号との照合が行われる。
尚、上記条件の場合には、入出用ゲート装置２ｂの記憶手段１７の認証方式情報１７ａに登録されている照合方式番号が「１」で、また非接触ＩＣカード３の認証方式情報４３から読み取られた照合方式番号が「１」であるので、照合一致となる。入出用ゲート装置２ｂは、非接触ＩＣカード３に認証方式情報エリアの初期化を要求し、非接触ＩＣカード３は、認証方式情報記憶エリア７ａの認証方式情報を「０」に初期化する。そして、認証処理の省略処理を行うことで、開閉板２１を開いて利用者４がゲートを通過することができる状態にする。
【００５７】
次に、Ｂ室に入った利用者４が、Ｂ室を出て、更に、ＣゲートからＣ室に入る際に、入出用ゲート装置２ｃに非接触ＩＣカード３を近づけることで、非接触ＩＣカード３の記憶手段７における認証方式情報記憶エリア７ａの認証方式情報４３が読み取られる。
そして、入出用ゲート装置２ｃの記憶手段１７の認証方式情報１７ａに登録されている照合方式番号と、読み取られた照合方式番号との照合が行われる。
尚、上記条件の場合には、入出用ゲート装置２ｃの記憶手段１７の認証方式情報１７ａに登録されている照合方式番号が「１」と「３」で、また非接触ＩＣカード３から読み取られた照合方式番号が「０」であるので、照合不一致となる。
【００５８】
上記の場合には、照合不一致となった認証方式番号「１」の共通鍵を用いた認証処理と、照合不一致となった認証方式番号「３」の指紋認証による認証処理が行われる。
そして、共通鍵、指紋認証を用いた認証処理で認証された場合には、入出用ゲート装置２ｃから非接触ＩＣカード３に対して、認証が受けられた認証方式番号である「１」と「３」が認証方式情報として送信される。
非接触ＩＣカード３は、受信した認証方式番号「１」と「３」を、記憶手段７の認証方式情報記憶エリア７ａの認証方式情報４３に登録させる。
また、上記の処理と略同時に、入出用ゲート装置２ｃの開閉板２１が開いて、利用者４がゲートを通過できる状態にする。
また、この共通鍵、指紋認証を用いた認証処理で認証されない場合には、そのままの状態で利用者４がゲートを通過することができない状態のまま処理が終了される。
【００５９】
そして、利用者４が、Ｃ室を出て、更にＡ室から入出用ゲート装置２ａを通過して外部に出る場合には、入出用ゲート装置２ａから情報を消去させるための指示信号が送信されて、非接触ＩＣカード３の記憶手段７における認証方式情報記憶エリア７ａの認証方式情報４３を初期化させて、「０」を登録する。
これにより、利用者が外部に出た場合には、認証処理の省略が行えない状態に初期化させる。
【００６０】
このように、共通鍵を用いた認証処理を行うＡゲート、Ｂゲート、共通鍵と指紋認証を用いた認証処理を行うＣゲートを連続して通過しようとする場合、共通鍵を用いた認証処理が２回目となるＢゲートでは認証処理を省略することができるが、共通鍵を用いた認証処理が３回目となるＣゲートでは再度、共通鍵を用いた認証処理が要求される。
【００６１】
次に、本発明の第３の実施形態に係る認証用ＩＣカード及び入場認証処理システムを図面に基づいて詳細に説明する。
図１１は、第３の実施形態の非接触ＩＣカード３の記憶手段７の認証方式情報記憶エリア７ａの詳細を示す図、図１２は、第３の実施形態の入出用ゲート装置２の記憶手段１７の詳細を示す図、図１３は、第３の実施形態に係る一つの認証処理を必要とする入場認証処理システムの処理手順を示すフローチャート図、図１４は、第３の実施形態に係る二つの認証処理を必要とする入場認証処理システムの処理手順を示すフローチャート図である。
【００６２】
まず、本発明の第３の実施形態に係る入場認証処理システムの概要は、図１、図７に示す第２の実施形態に係る入場認証処理システムとほぼ同じである。
認証方式情報記憶エリア７ａは、図１１に示すように利用者４の社員番号等の識別番号を表すＩＤ４１、利用者の名前４２、利用者４が入出用ゲート装置２を通過する際に、認証処理に用いられた認証方式を特定可能な認証方式番号を含む認証方式情報４３ａ、４３ｂを有する。認証方式情報４３ａ、４３ｂに記憶された情報は、新たな情報が書き込まれた際に更新されて、常に新しい認証方式情報だけが登録される。
また、入出用ゲート装置２の記憶手段１７は、図１２に示すように、入出用ゲート装置２の認証方式の種類と、各認証方式を特定するための認証方式番号とが関係付けられた情報が登録される認証方式情報１７ａ、１７ｂを有する。
非接触ＩＣカード３の認証方式情報記憶エリア７ａは、認証方式情報４３ａと４３ｂを、入出用ゲート装置２の記憶手段１７は、認証方式情報１７ａと１７ｂを、というようにそれぞれ二つの認証処理方式を記憶することが可能であるが、一つのゲートにおいて三つ以上の認証処理が必要となる場合は、非接触ＩＣカード３の認証方式情報記憶エリア７ａ及び入出用ゲート装置２の記憶手段１７が必要となる認証処理の数だけ認証方式情報を持つようにしてもよい。
【００６３】
利用者が連続して複数の入出用ゲート装置２を通過することで、各入出用ゲート装置２で順次に認証を受けた場合には、非接触ＩＣカード３の認証方式情報記憶エリア７ａの認証方式情報４３ａ、４３ｂには、前回の認証時の認証方式番号情報だけが登録されているように更新登録される。
入出用ゲート装置２の認証方式情報照合手段１６による非接触ＩＣカード３の認証方式情報４３ａ、４３ｂのいずれかと、入出用ゲート装置２の認証方式情報１７ａ、１７ｂのいずれかが一致した場合には、一致した認証方式については、その入出用ゲート装置２を通過しようとする利用者が、その入出用ゲート装置２に来る前に通過した入出用ゲート装置２において、既に同じ認証方式で認証が受けられていることから、通常行う認証処理を省略して通過可能にする。
【００６４】
次に、本発明の第３の実施形態に係る入場認証処理システムにおいて、入出用ゲート装置２が一つの認証処理を必要とする場合の処理手順を、図１３のフローチャート図に基づいて説明する。
入場認証処理システムで一つの認証処理を必要とする場合、入出用ゲート装置２の記憶手段１７の認証方式情報１７ａには必要となる認証処理の認証方式番号が登録され、認証方式情報１７ｂには「０」が登録されている。
【００６５】
ゲートから入る際に、入出用ゲート装置２で利用者４の非接触ＩＣカード３の記憶手段における認証方式情報記憶エリア７ａの登録情報を読み取る（ステップＳ２１）。
入出用ゲート装置２は、読み取られた認証方式情報記憶エリア７ａのＩＤ４１と一致するＩＤ情報があるかどうか、サーバ３に問い合わせる（ステップＳ２２）。
サーバ３は、記憶手段３５のＩＤ情報記憶エリア３５ａに該当するＩＤ情報があるかどうか照合し、無い場合、利用者４がゲートを通過することができない状態のまま処理が終了される。
【００６６】
該当するＩＤ情報がある場合、入出用ゲート装置２の認証方式情報１７ａと非接触ＩＣカード３から読み取られた認証方式情報４３ａ、４３ｂとを照合する（ステップＳ２３）。
入出用ゲート装置２の認証方式情報１７ａが非接触ＩＣカード３の認証方式情報４３ａ、４３ｂのいずれかと一致した場合、入出用ゲート装置２は、設定された認証処理を省略し、開閉板２１を開いて利用者４がゲートを通過することができる状態にする。（ステップＳ２４）
【００６７】
入出用ゲート装置２の認証方式情報１７ａが、非接触ＩＣカード３から読み取られた認証方式情報４３ａ、４３ｂのいずれとも不一致の場合、入出用ゲート装置２に設定された認証方式の認証処理を受ける必要があるため、認証に必要な照合用情報を入力させるように利用者４に要求する（ステップＳ２５）。
そして、設定された認証方式の認証処理を行い（ステップＳ２６）、この認証方式の認証処理で認証された場合には、入出用ゲート装置２の開閉板２１が開いて、利用者４がゲートを通過できる状態にする（ステップＳ２７）。
【００６８】
入出用ゲート装置２で設定された認証方式の認証処理を省略してゲートを通過した場合、あるいは認証処理を受けて認証されゲートを通過した場合、入出用ゲート装置２から非接触ＩＣカード３に対して、認証方式情報１７ａ、１７ｂを送信する（ステップＳ２８）。
入出用ゲート装置２から認証方式番号である認証方式情報１７ａ、１７ｂを受信した非接触ＩＣカード３は、非接触ＩＣカード３の認証方式情報記憶エリア７ａの認証方式情報４３ａ、４３ｂに送信された認証方式情報を登録させる（ステップＳ２９）。
【００６９】
次に、本発明の第３の実施形態に係る入場認証処理システムにおいて、入出用ゲート装置２が二つの認証処理を必要とする場合の処理手順を、図１４のフローチャート図に基づいて説明する。
入場認証処理システムで二つの認証処理を必要とする場合、入出用ゲート装置２の記憶手段１７の認証方式情報１７ａ、１７ｂには、それぞれ必要となる認証処理の認証方式番号が登録されている。
【００７０】
ゲートから入る際に、入出用ゲート装置２で利用者４の非接触ＩＣカード３の記憶手段における認証方式情報記憶エリア７ａの登録情報を読み取る（ステップＳ３１）。
入出用ゲート装置２は、読み取られた認証方式情報記憶エリア７ａのＩＤ４１と一致するＩＤ情報があるかどうか、サーバ３に問い合わせる（ステップＳ３２）。
サーバ３は、記憶手段３５のＩＤ情報記憶エリア３５ａに該当するＩＤ情報があるかどうか照合し、無い場合、利用者４がゲートを通過することができない状態のまま処理が終了される。
【００７１】
該当するＩＤ情報がある場合、入出用ゲート装置２の第１の認証処理の認証方式を示す認証方式情報１７ａと非接触ＩＣカード３から読み取られた認証方式情報４３ａ、４３ｂとを照合する（ステップＳ３３）。
非接触ＩＣカード３の認証方式情報４３ａ、４３ｂのいずれかが入出用ゲート装置２の認証方式情報１７ａと一致した場合、入出用ゲート装置２の第２の認証処理の認証方式を示す認証方式情報１７ｂと非接触ＩＣカード３から読み取られた認証方式情報４３ａ、４３ｂとを照合する（ステップＳ３４）。
【００７２】
入出用ゲート装置２の認証方式情報１７ｂが非接触ＩＣカード３の認証方式情報４３ａ、４３ｂのいずれかと一致した場合、入出用ゲート装置２は、設定された二つの認証処理を省略し、開閉板２１を開いて利用者４がゲートを通過することができる状態にする。（ステップＳ３５）
【００７３】
入出用ゲート装置２の認証方式情報１７ａ、１７ｂのいずれか、あるいは両方が、非接触ＩＣカード３から読み取られた認証方式情報４３ａ、４３ｂのいずれと一致しない場合、一致しなかった一つ、あるいは二つの認証処理を受ける必要があるため、認証に必要な照合用情報を入力させるように利用者４に要求する（ステップＳ３６）。
そして、設定された一つ、あるいは二つの認証方式の認証処理を行い（ステップＳ３７）、この認証方式の認証処理で認証された場合には、入出用ゲート装置２の開閉板２１が開いて、利用者４がゲートを通過できる状態にする（ステップＳ３８）。
【００７４】
入出用ゲート装置２で設定された認証方式の認証処理を省略してゲートを通過した場合、あるいは認証処理を受けて認証されゲートを通過した場合、入出用ゲート装置２から非接触ＩＣカード３に対して、認証方式情報１７ａ、１７ｂを送信する（ステップＳ３９）。
入出用ゲート装置２から認証方式番号である認証方式情報１７ａ、１７ｂを受信した非接触ＩＣカード３は、非接触ＩＣカード３の認証方式情報記憶エリア７ａの認証方式情報４３ａ、４３ｂに送信された認証方式情報を登録させる（ステップＳ４０）。
【００７５】
次に、本発明の第３の実施形態に係る入場認証処理システムの実施例として、図１に基づいて、利用者４が矢印に示す順番に行動した際の具体的な処理手順について説明する。
まず、各ゲートに備えられている入出用ゲート装置２毎で処理する認証方式を設定する。
Ａゲートの入出用ゲート装置２ａでは、認証方式として共通鍵による認証が行われ、Ｂゲートの入出用ゲート装置２ｂでは、認証方式として指紋認証による認証が行われ、Ｃゲートの入出用ゲート装置２ｃでは、認証方式として指紋認証による認証と、更に暗証番号による認証とが行われるものとする。
つまり、入出用ゲート装置２ａの記憶手段１７の認証方式情報１７ａには「１」、認証方式情報１７ｂには「０」が登録され、入出用ゲート装置２ｂの記憶手段１７の認証方式情報１７ａには「３」、認証方式情報１７ｂには「０」が登録され、入出用ゲート装置２ｃの記憶手段１７の認証方式情報１７ａには「３」、認証方式情報１７ｂには「２」が登録されている。
【００７６】
また、利用者４が所持する非接触ＩＣカード３の認証方式情報記憶エリア７ａの認証方式情報４３ａ、４３ｂには、初期状態として「０」が登録されているものとする。
上記の設定は、一例であって任意に設定することができる。
また、この処理手順の説明では、利用者４が、各室に備えられたゲートＡ、ゲートＢ、ゲートＣ、を順番に通過して、最後にゲートＡから外部に出るまでの処理について説明する。
【００７７】
まず、利用者４が、Ａゲートから入る際に、入出用ゲート装置２ａに非接触ＩＣカード３を近づけることで、非接触ＩＣカード３の記憶手段７における認証方式情報記憶エリア７ａの認証方式情報４３ａ、４３ｂとして「０」、「０」が読み取られる。
入出用ゲート装置２ａは、共通鍵の認証方式の認証処理一つが設定されているため、入出用ゲート装置２の記憶手段１７の認証方式情報１７ａと、読み取られた認証方式情報４３ａ、４３ｂとの照合が行われる。
尚、上記条件の場合には、入出用ゲート装置２ａの認証方式情報１７ａに登録されている照合方式番号が「１」で、また非接触ＩＣカード３の認証方式情報４３ａ、４３ｂから読み取られた照合方式番号が「０」、「０」であるので、照合不一致となり、認証処理の省略処理を行わないで、共通鍵を用いた認証処理が行われる。
また、この照合処理で照合一致となった場合には、認証処理の省略処理を行うことで、開閉板２１を開いて利用者４がゲートを通過することができる状態にする。
【００７８】
そして、共通鍵を用いた認証処理で認証された場合には、入出用ゲート装置２ａから非接触ＩＣカード３に対して、認証が受けられた認証処理の認証方式情報として「１」「０」送信される。
非接触ＩＣカード３は、認証方式番号「１」「０」を受信し、記憶手段７の認証方式情報記憶エリア７ａの認証方式情報４３ａを「１」に、認証方式情報４３ｂを「０」に更新させる。
また、上記の処理と略同時に、入出用ゲート装置２ａの開閉板２１が開いて、利用者４がゲートを通過できる状態にする。
尚、共通鍵を用いた認証処理で認証されない場合には、そのままの状態で利用者４がゲートを通過することができない状態のまま処理が終了される。
【００７９】
Ａ室に入った利用者４が、更に、ＢゲートからＢ室に入る際に、入出用ゲート装置２ｂに非接触ＩＣカード３を近づけることで、非接触ＩＣカード３の記憶手段７における認証方式情報記憶エリア７ａの認証方式情報４３ａ、４３ｂが読み取られる。
そして、入出用ゲート装置２ｂの記憶手段１７の認証方式情報１７ａ、１７ｂに登録されている照合方式番号と、読み取られた照合方式番号との照合が行われる。
尚、上記条件の場合には、入出用ゲート装置２ｂの記憶手段１７の認証方式情報１７ａ、１７ｂに登録されている照合方式番号が「３」、「０」で、非接触ＩＣカード３の認証方式情報４３ａ、４３ｂから読み取られた照合方式番号が「１」「０」であるので、照合不一致となるため、認証処理の省略処理を行わないで、指紋認証を用いた認証処理が行われる。
【００８０】
次に、Ｂ室に入った利用者４が、Ｂ室を出て、更に、ＣゲートからＣ室に入る際に、入出用ゲート装置２ｃに非接触ＩＣカード３を近づけることで、非接触ＩＣカード３の記憶手段７における認証方式情報記憶エリア７ａの認証方式情報４３ａ、４３ｂが読み取られる。
そして、入出用ゲート装置２ｃの記憶手段１７の認証方式情報１７ａ、１７ｂに登録されている照合方式番号と、読み取られた非接触ＩＣカード３の照合方式番号との照合が行われる。
尚、上記条件の場合には、入出用ゲート装置２ｃの記憶手段１７の認証方式情報１７ａ、１７ｂに登録されている照合方式番号が「３」、「２」で、また非接触ＩＣカード３から読み取られた照合方式番号が「３」、「０」であるので、照合方式番号「３」は照合一致となり、照合方式番号「２」は照合不一致となる。
【００８１】
上記の場合には、照合不一致となった認証方式番号「２」の暗証番号を用いた認証処理が行われる。
そして、暗証番号を用いた認証処理で認証された場合には、入出用ゲート装置２ｃから非接触ＩＣカード３に対して、認証が受けられた認証方式番号である「３」と「２」が認証方式情報として送信される。
非接触ＩＣカード３は、受信した認証方式番号「３」と「２」を、記憶手段７の認証方式情報記憶エリア７ａの認証方式情報４３ａ、４３ｂにそれぞれ登録させる。
また、上記の処理と略同時に、入出用ゲート装置２ｃの開閉板２１が開いて、利用者４がゲートを通過できる状態にする。
また、この暗証番号を用いた認証処理で認証されない場合には、そのままの状態で利用者４がゲートを通過することができない状態のまま処理が終了される。
【００８２】
そして、利用者４が、Ｃ室を出て、更にＡ室から入出用ゲート装置２ａを通過して外部に出る場合には、入出用ゲート装置２ａから情報を消去させるための指示信号が送信されて、非接触ＩＣカード３の記憶手段７における認証方式情報記憶エリア７ａの認証方式情報４３ａ、４３ｂを初期化させて、それぞれ「０」を登録する。
これにより、利用者が外部に出た場合には、認証処理の省略が行えない状態に初期化させる。
【００８３】
このように、利用者４は、前回に認証が受けられた認証方式を省略でき、複数の入出用ゲート装置が設置されていても、認証処理時間の短縮化や、利用者が所定の位置に指や手を置いたり、顔を当てたりなどする面倒を軽減できる。
【００８４】
以上、添付図面を参照しながら本発明に係る認証用ＩＣカード及び入場認証処理システムの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００８５】
【図１】本発明の実施形態に係る入場認証処理システムの概要を説明する図
【図２】本発明の実施形態に係る入場認証処理システムに使用する非接触ＩＣカードの平面図
【図３】本発明の実施形態に係る入場認証処理システムに使用する入出用ゲート装置を示す斜視図
【図４】本発明の実施形態に係る入場認証処理システムのシステムブロック図
【図５】本発明で利用される認証方式と認証方式番号との関係を示す図
【図６】本発明の第１の実施形態に係る入場認証処理システムの処理手順を示すフローチャート図
【図７】本発明の第２の実施形態に係る入場認証処理システムのシステムブロック図
【図８】第２の実施形態の非接触ＩＣカード３の記憶手段７の認証方式情報記憶エリア７ａの詳細を示す図
【図９】第２の実施形態の入出用ゲート装置２の記憶手段１７の詳細を示す図
【図１０】第２の実施形態に係る入場認証処理システムの処理手順を示すフローチャート図
【図１１】第３の実施形態の非接触ＩＣカード３の記憶手段７の認証方式情報記憶エリア７ａの詳細を示す図
【図１２】第３の実施形態の入出用ゲート装置２の記憶手段１７の詳細を示す図
【図１３】第３の実施形態に係る一つの認証処理を必要とする入場認証処理システムの処理手順を示すフローチャート図
【図１４】第３の実施形態に係る二つの認証処理を必要とする入場認証処理システムの処理手順を示すフローチャート図
【符号の説明】
【００８６】
１・・・・・・・・・建物
２・・・・・・・・・入出用ゲート装置
３・・・・・・・・・非接触ＩＣカード
４・・・・・・・・・利用者
５・・・・・・・・・ＩＣモジュール
６，１１・・・・・・・・・送受信手段
７，１７，３５・・・・・・・・・記憶手段
７ａ・・・・・・・・・認証方式情報記憶エリア
７ｂ・・・・・・・・・照合用情報記憶エリア
８，２０，３７・・・・・・・・・制御手段
９・・・・・・・・・認証方式
１２・・・・・・・・・照合処理手段
１３・・・・・・・・・認証方式情報書込手段
１４・・・・・・・・・認証方式情報読取手段
１５・・・・・・・・・入出制限切替制御手段
１６・・・・・・・・・認証方式情報照合手段
１８・・・・・・・・・生体情報読取手段
１９，３２・・・・・・・・・入力手段
２１・・・・・・・・・開閉板
２２，３１・・・・・・・・・通信手段
３０・・・・・・・・・サーバ
３３・・・・・・・・・印刷手段
３４・・・・・・・・・表示手段
３５ａ・・・・・・・・・ＩＤ情報記憶エリア
３６・・・・・・・・・メディア入出力手段
【図１】
2008027432.tif 000003
【図２】
2008027432.tif 000004
【図３】
2008027432.tif 000005
【図４】
2008027432.tif 000006
【図５】
2008027432.tif 000007
【図６】
2008027432.tif 000008
【図７】
2008027432.tif 000009
【図８】
2008027432.tif 000010
【図９】
2008027432.tif 000011
【図１０】
2008027432.tif 000012
【図１１】
2008027432.tif 000013
【図１２】
2008027432.tif 000014
【図１３】
2008027432.tif 000015
【図１４】
2008027432.tif 000016
【手続補正書】
【提出日】平成19年6月22日(2007.6.22)
【手続補正１】
【補正対象書類名】特許請求の範囲
【補正対象項目名】請求項４
【補正方法】変更
【補正の内容】
【請求項４】
前記ＩＣカードは、前記認証方式情報記憶エリアに利用者の識別番号、一つ以上の認証方式情報等を有することを特徴とする請求項３記載の入場認証処理システム。